(57)【要約】【課題】水分を確保できない環境でも水電池を利用した災害用のＬＥＤライトを使用でき、また瓦礫に囲まれて周囲に光が届かない環境で、かつ報道ヘリコプタ等の騒音環境下でも救助隊に発見されるような手段を提供する。【解決手段】水電池と、発電１回分に相当する量の水に小分けされラミネートフィルムで密閉融着された容器複数個と、ＬＥＤ及びＬＥＤを発光させるための電気回路からなるＬＥＤモジュールおよびこれらを水電池と接続する電気配線で構成されたＬＥＤライトにより、水分確保が困難な環境でも使用できる災害用ＬＥＤライトを提供する。また、ＬＥＤモジュールをブルートゥース無線モジュールに置き換えれば、瓦礫等で周囲が囲まれ、かつ報道ヘリコプタ等の騒音環境下においても救助隊からの発見を容易にする災害用ブルートゥースビーコンを提供することができる。【選択図】図１Ａ
2018032576.tif 000002
【特許請求の範囲】
【請求項１】
水電池と、前記水電池の一回の発電に必要な水量をそれぞれ保持しており一部が外力により変形され前記水量の水を放出する複数の水収納容器からなる水電池部と、
前記水電池部の出力端に接続されている発光部と、
前記水電池部を所定の位置に気密に収容するケースと、からなり、
任意の前記水収納容器を外力により変形させ水を前記ケース内に放出することにより水電池部を動作させ、前記発光部を作動させる災害時携帯装置。
【請求項２】
水電池と、前記水電池の一回の発電に必要な水量をそれぞれ保持しており一部が外力により変形され前記水量の水を放出する複数の水収納容器からなる水電池部と、
アンテナと、
前記アンテナにアドバタイズモードで発信されることを特徴とする無線ビーコン発信用の信号を発生させるブルートゥース無線モジュール部と、
前記水電池部を所定の位置に気密に収容するケースと、からなり、
任意の前記水収納容器を外力により変形させ水を前記ケース内に放出することにより水電池部を動作させ、前記ブルートゥース無線モジュール部を作動させる災害時携帯装置。
【請求項３】
前記装置は、前記水収納容器に密封用シールを有するシール部を備え、前記シールをケースの外部に伸びる紐を引いて剥離し、前記水電池部を動作させることを特徴とする請求項１または２記載の災害時携帯装置。
【請求項４】
前記水電池部を収容するケース部分は、他の電気回路部分に着脱可能に設けられていることを特徴とする請求項１または２記載の災害時携帯装置。
【発明の詳細な説明】
【技術分野】
【０００１】
本発明は、水電池を利用した災害時携帯装置に関する。さらに詳しく言えば、水電池を用いて災害時に使用するＬＥＤライト機能またはブルートゥース（登録商標  以下同様）ビーコン機能を実施できる災害時携帯装置に関する。
【背景技術】
【０００２】
市販されている多くの水電池利用のエマジェンシーライト（ＬＥＤライト機能に相当）は装置の底面（使用姿勢における底面）に開口部を設け、そこから水分を注入することで水電池の発電を促す構造になっている。
【０００３】
このため、使用に際しては水電池を発電させるための水あるいは水分を含んだ液体を現場で確保する必要がある。
【０００４】
水電池を発電させてＬＥＤライトを点灯させることで、暗闇での灯火、簡易的な懐中電灯の他、救助隊に居場所を知らせる灯火としての使用方法が考えられている。
【０００５】
しかしながら、災害時などで周囲に水あるいは水分を含んだ液体が確保できない場合、当該製品を使用することができない。
【０００６】
一方、瓦礫などに囲まれて発光が妨げられ光が外周囲に届かないような状況では救助隊に居場所を知らせることができない。
【０００７】
ＬＥＤライトの替わりに圧電ブザー等の音響で居場所を伝える手段も考えられるが、報道ヘリコプタ等の騒音にかき消されてしまう可能性がある。
【先行技術文献】
【特許文献】
【０００８】
【特許文献１】特開２０１５−１７９６５６号公報
【特許文献２】特許第５６９６１４８号公報
【発明の概要】
【発明が解決しようとする課題】
【０００９】
特許文献１は従来技術における第一の課題である水あるいは水分を含んだ液体を確保できないような環境でも使用できるように、水が密閉収納されたラミネートパウチを装置内に収納する構造にしたものである。
水電池は一時に大量の水を供給すると可使時間が減少し、少ないと発電量が減少するため適切な量を供給することが望ましい。また、水電池の発電量が低下しても再度水を供給すれば発電量も復帰し、３回程度繰り返し発電することができる特長がある。
特許文献１に示される実施形態では水を密閉収納したラミネートパウチは一つしか示されておらず、複数個の存在は示されていない。従って、適切な量の水を供給するにはラミネートパウチの押圧量を加減する必要があり、必ずしも適量を供給できる保証はない。
【００１０】
特許文献２は液体保持容器に液体が進入するとそれを感知するための水電池と、水電池の発電によって電波を発信する発信器を有するものであるが、この発信器は水電池に直結されている。水電池が発電すると発信器が電波を発信する構成になっているが、ブルートゥースビーコンのような複雑な電子回路によりパケットデータを送信するような機能を有することは示されていない。またブルートゥースビーコンのようにスマートホンやタブレット端末と通信する機能も示されていない。
【００１１】
本発明は、水分を確保できない環境でも水電池を利用した災害用のＬＥＤライトを使用でき、また瓦礫に囲まれて周囲に光が届かない環境で、かつ報道ヘリコプタ等の騒音環境下でも救助隊に発見されるよう、従来技術における課題を解決する水電池を利用した災害時携帯装置を提供することを目的としている。
また、先行技術における課題である適量の水の供給を容易にできるようにすることも目的としている。
【課題を解決するための手段】
【００１２】
前記目的を達成するために、本発明による請求項１記載の災害時携帯装置は、水電池と、前記水電池の一回の発電に必要な水量をそれぞれ保持しており一部が外力により変形され前記水量の水を放出する複数の水収納容器からなる水電池部と、前記水電池部の出力端に接続されている発光部と、前記水電池部を所定の位置に気密に収容するケースとからなり、任意の前記水収納容器を外力により変形させ水を前記ケース内に放出することにより水電池部を動作させ、前記発光部を作動させるように構成されている。
本発明による請求項２記載の災害時携帯装置は、水電池と、前記水電池の一回の発電に必要な水量をそれぞれ保持しており一部が外力により変形され前記水量の水を放出する複数の水収納容器からなる水電池部と、アンテナと、前記アンテナにアドバタイズモードで発信されることを特徴とする無線ビーコン発信用の信号を発生させるブルートゥース無線モジュール部と、前記水電池部を所定の位置に気密に収容するケースとからなり、任意の前記水収納容器を外力により変形させ水を前記ケース内に放出することにより水電池部を動作させ、前記ブルートゥース無線モジュール部を作動させるように構成されている。
本発明による請求項３記載の災害時携帯装置は、請求項１または２記載の発明において、前記装置は、前記水収納容器に密封用シールを有するシール部を備え、前記シールをケースの外部に伸びる紐を引いて剥離し、前記水電池部を動作させることを特徴とするものである。
本発明による請求項４記載の災害時携帯装置は、請求項１または２記載の発明において、前記水電池部を収容するケース部分は、他の電気回路部分に着脱可能に設けられていることを特徴とするものである。
【００１３】
つまり、本発明による装置は、水電池と、発電１回分に相当する量の水に小分けされラミネートフィルムで密閉融着された容器複数個と、ＬＥＤ及びＬＥＤを発光させるための電気回路からなるＬＥＤモジュールおよびこれらを水電池と接続する電気配線で構成されたＬＥＤライトにより、水分確保が困難な環境でも使用できる災害用ＬＥＤライト機能を備えた災害時携帯装置を提供することを特徴とするものである。
また、ＬＥＤモジュールをブルートゥース無線モジュールに置き換えることで、瓦礫等で周囲が囲まれ、かつ報道ヘリコプタ等の騒音環境下においても救助隊からの発見を容易にする災害用ブルートゥースビーコン機能を備えた災害時携帯装置を提供することを特徴とするものである。
【発明の効果】
【００１４】
本発明によれば、水あるいは水分を含んだ液体が確保できない環境においても、発電１回分に相当する量の水に小分けされた水収納容器を複数個用意してあるので、その一つに外力を加えることで容易に水電池の発電を促すことができ、ＬＥＤライトの使用が可能になる。水収納容器は１回分の適量の水が収納されており、水の過剰供給や過少供給の心配が無い。発電量が減少してくると、残りの水収納容器の一つに外力を加えれば、再度適量の水を供給することができる。
また、ＬＥＤモジュールをブルートゥース無線モジュールに置き換えると、水電池の発電によってブルートゥースビーコンが起動し、救助隊が所持するスマートホンやタブレット等の携帯端末にインストールされた専用アプリケーションソフトウェアを立ち上げてブルートゥースビーコンを検出して瓦礫等に覆われた被災者の発見を容易にすることができる。また、このブルートゥースビーコンは音響ではなく無線電波を利用しているため、報道ヘリコプタ等の周囲の騒音に遮られることなく、被災者を発見することができる。
さらに、水電池と水収納容器を保持する防水気密性を有するケースは、ＬＥＤライト，ブルートゥースビーコンいずれの装置にも共通に着脱可能であるから、環境により上記装置を選択使用できる。
ビーコンをアドバタイズモードで動作させることができるから位置の情報のみならず、より詳細な情報を発信できる。
【図面の簡単な説明】
【００１５】
【図１Ａ】本発明による水電池を利用した災害時携帯装置の災害用ＬＥＤライトとしての構成の一実施形態を示す概略図である。
【図１Ｂ】本発明による水電池を利用した災害時携帯装置の災害用ブルートゥースビーコンとしての構成の一実施形態を示す概略図である。
【図１Ｃ】本発明による水電池を利用した災害時携帯装置の災害用ＬＥＤライトの構成部品の組み立て状態を示す図である。
【図１Ｄ】本発明による水電池を利用した災害時携帯装置の災害用ブルートゥースビーコンの構成部品の組み立て状態を示す図である。
【図２Ａ】本発明による装置の水収納容器の一実施形態を底面側から見た斜視図である。
【図２Ｂ】図２Ａにおいて給水紐３ａを引いた状態を示す図である。
【図３】本発明による装置のＬＥＤライトの回路部の一実施形態を示す図である。
【図４】本発明による装置のブルートゥースビーコンの電子回路部の一実施形態を示すブロック図である。
【図５】本発明による装置のブルートゥースビーコンの処理の流れの一例を示すフロー図である。
【図６】ブルートゥースビーコンによる捜索方法の一例を示すための図である。
【発明を実施するための形態】
【００１６】
以下、図面を参照して本発明の実施の形態を詳しく説明する。
【００１７】
図１Ａは本発明による水電池を利用した災害時携帯装置の災害用ライトとしての構成の一形態を説明する図である。本発明の災害用ＬＥＤライトはＬＥＤ（１ａ−１，１ａ−２，１ａ−３）およびＬＥＤ発光用電気回路からなるＬＥＤモジュール１、水電池２及び複数の水収納容器３で構成される。水電池２および水収納容器３は硬質プラスチック樹脂成形よりなる防水性のケース部４に収められており、図中の点線で示される。このケース部４内の水収納容器３には水電池２に水を供給するための給水紐３ａが取り付けられ、ケース外部に出ている。
水収納容器３は防水性のラミネートフィルムで水を密閉収納しており、１回分の発電に適量の水、たとえば２．５ｍｌが収納されている。
複数ある水収納容器３のうちの一つの給水紐３ａを引くと、水収納容器３のシールの融着部分が分離し水が防水性のケース部４の内部に放出されて水電池２に水分が供給される。水電池２に水分が供給されると発電が起こり、ＬＥＤが点灯する。
水電池内の水分が消費されて水分量が減少するとＬＥＤの輝度が暗くなり、やがて消灯するが、残りの水収納容器３の給水紐３ａを引くことで再度発電が促され、ＬＥＤは再点灯する。
なお、この形態では給水紐を引くことで水収納容器に外力を加えているが、外力の加え方は紐の引っ張りに限定するものではなく、水収納容器を押圧変形させるなど、他の手段により剥離されやすい融着部などから水を放出させても良い。押圧変形させる手段の場合、給水紐の代わりに棒状の突起物を内部に押し込んで押圧力をかけるように構成することもできる。
【００１８】
図１Ｂは、本発明による水電池を利用した災害時携帯装置の災害用ブルートゥースビーコンとしての構成の一形態を説明する図である。本発明の災害用ブルートゥースビーコンは、ビーム状の電波（ビーコン）を発信するブルートゥース無線モジュール５、水電池２、複数の水収納容器３で構成される。水電池２および水収納容器３は硬質プラスチック樹脂成形よりなる防水性のケース部４に収められており、図中の点線で示される。このケース部４内の水収納容器３には水電池２に水を供給するための給水紐３ａが取り付けられ、ケース外部に出ている。
水収納容器３は防水性のラミネートフィルムで水を密閉収納しており、１回分の発電に適量の水、たとえば２．５ｍｌが収納されている。
ブルートゥース無線モジュール５は暗闇での操作を容易にし、またブルートゥースビーコンが動作していることを示すためのＬＥＤライトが搭載されている。
複数ある水収納容器３のうちの一つの給水紐３ａを引くと、水収納容器３のシールの融着部分が分離し水電池２の収納部に水分が供給される。
水電池２に水分が供給されると発電が起こり、ブルートゥース無線モジュール５が起動し、当該電気回路からアンテナを介して無線のビーコンにのせてAdvertising Packet６の送信を開始する。
ブルートゥースビーコン専用アプリケーションソフトウェアがインストールされているスマートホンやタブレットといった携帯端末７を使用すれば、送信されたAdvertising Packet６を受信することができ、救助隊は要救助者の存在を知ることができる。
水電池内の水分が消費されて水分量が減少すると、ブルートゥース無線モジュール５に搭載されたＬＥＤの輝度が暗くなり、電圧が低下したことを使用者に知らせる。この場合残りの水収納容器３の給水紐３ａを引くことで再度発電が促され、ブルートゥース無線モジュール５は動作の継続が可能になる。
なお、この形態では給水紐を引くことで水収納容器に外力を加えているが、外力の加え方は紐の引っ張りに限定するものではなく、水収納容器を押圧変形するなど、他の手段により剥離されやすい融着部などから水を放出させても良い。押圧変形させる手段の場合、給水紐の代わりに棒状の突起物を内部に押し込んで押圧力をかけるように構成することもできる。
【００１９】
図１Ｃは本発明による水電池を利用した災害時携帯装置の災害用ＬＥＤライトの構成部品の組み立て状態の一実施例を示す図である。本発明の災害用ＬＥＤライトはＬＥＤモジュール１と水電池、水収納容器を格納したケース部４に分離することができる。
ＬＥＤモジュール１はＬＥＤモジュール本体１ａとカバー１ｂからなり、ＬＥＤモジュール本体１ａは接続コネクタ１ｃおよび４ｃを介してケース部４と結合している。
ケース部４はケース本体４ａの内部に水電池２および水収納容器３を格納し、上板４ｂと底板４ｅで上下面を密閉した防水構造になっている。上板４ｂにある２本の接続針４ｄは水電池の電極に電気的に接続され、接続コネクタ４ｃによってＬＥＤモジュール本体１ａに電源を供給する。ケース部４底面の給水紐３ａが通る開口部は接着剤で防水密閉されている。給水紐３ａを引いたときケース部４の底面の開口部もわずかな隙間が生じることが想定されるが、水の表面張力により水が漏れることはほとんどなく、水電池本体の電極間に吸水される。
【００２０】
図１Ｄは本発明による水電池を利用した災害時携帯装置の災害用ブルートゥースビーコンの構成部品の組み立て状態の一実施例を示す図である。本発明の災害用ブルートゥースビーコンはブルートゥース無線モジュール５と水電池、水収納容器を格納したケース部４に分離することができる。
ブルートゥース無線モジュール５はブルートゥース無線モジュール本体５ａ、接続基板５ｂとカバー５ｃからなり、ブルートゥース無線モジュール本体５ａは接続コネクタ５ａ−１および５ｂ−１を介して接続基板５ｂと結合している。また、接続基板５ｂは接続コネクタ５ｂ−２および４ｃを介してケース部４と結合している。
ケース部４はケース本体４ａの内部に水電池２および水収納容器３を格納し、上板４ｂと底板４ｅで上下面を密閉した防水構造になっている。上板４ｂにある２本の接続針４ｄは水電池の電極に電気的に接続され、接続コネクタ４ｃによってブルートゥース無線モジュール本体５ａに電源を供給する。ケース部４底面の給水紐３ａが通る開口部は接着剤で防水密閉されている。給水紐３ａを引いたときケース部４の底面の開口部もわずかな隙間が生じることが想定されるが、水の表面張力により水が漏れることはほとんどなく、水電池本体の電極間に吸水される。
【００２１】
図１Ｃ，図１Ｄの装置において、ケース部４側とＬＥＤモジュール１またはブルートゥース無線モジュール５側が一体的に結合させられる必要がある。
図１Ｃの場合は、ＬＥＤモジュール本体１ａの接続コネクタ１ｃと、ケース部４の上板４ｂの接続コネクタ４ｃが雌雄結合し、カバー１ｂの下端とケース本体４ａの上端が嵌め合わされて密封状態を形成する。
図１Ｄの場合は、ブルートゥース無線モジュール５の接続基板５ｂの接続コネクタ５ｂ−２と、ケース部４の上板４ｂの接続コネクタ４ｃが雌雄結合し、カバー５ｃの下端とケース本体４ａの上端が嵌め合わされて密封状態を形成する。
【００２２】
図２Ａは水収納容器３の一実施形態を底面側から見た斜視図であり、図２Ｂは図２Ａにおいて給水紐３ａを引いた状態を示す図である。給水紐３ａの先端には密封用シール３ｂが接続されており、密封用シール３ｂは融着部３ｃで水収納容器と融着している。給水紐３ａを引くと密封用シール３ｂが融着部３ｃから剥離して給水孔３ｄが空き、内部の水が外に流れ出る構造である。
【００２３】
図３は本発明による装置のＬＥＤライトの回路部の一実施形態を示す図である。水電池２の正電極および負電極に接続針４ｄが接続され、ケース部４側の接続コネクタ４ｃとＬＥＤモジュール１側の接続コネクタ１ｃを介して電気的に接続され、ＬＥＤモジュール本体１ａに実装されている複数個のＬＥＤ（１ａ−１，１ａ−２，１ａ−３）に電源を供給する。
【００２４】
図４はブルートゥースビーコンの回路部の一実施形態を示す図である。水電池２の正電極および負電極に接続針４ｄが接続され、ケース部４側の接続コネクタ４ｃとブルートゥース無線モジュール５側の接続コネクタ５ｂ−２を介して電気的に接続され、接続基板５ｂのモニタ用ＬＥＤ５ｂ−３に電源を供給すると共に接続基板５ｂ側の接続コネクタ５ｂ−１とブルートゥース無線モジュール本体５ａ側の接続コネクタ５ａ−１を介してブルートゥース無線モジュール本体５ａに実装されているブルートゥース電子回路ＩＣ５ａ−２に電源を供給する。
モニタ用ＬＥＤ５ｂ−３は水電池２の発電電圧をモニタする役割の他、暗闇での操作を容易にする役割を果たしている。図示されていないがＬＥＤは電流を制限するための回路を有していても良い。
なお、水電池部を収容するケース部分は、ＬＥＤモジュール部とブルートゥース無線モジュール部の両方に着脱可能で、共通に接続使用可能である。
【００２５】
ブルートゥース無線モジュール５は水電池２から電源が供給されると起動し、無線モジュールに必要な初期化等の処理を実施した後、アンテナ５ａ−３からAdvertising Packet６を含むビーコンを送信する。
このAdvertising Packet６に特定の識別コード情報を入れておき、この電波を受信した携帯端末が災害用ブルートゥースビーコンからの信号であることを認識する。
【００２６】
図示されていないが、接続基板５ｂに状況識別用の信号としてスイッチを接続し、接続コネクタ５ｂ−１および５ａ−１を介してこのスイッチからの信号を入力し被災者の状況を数種類に分類してAdvertising Packet６に追加することも可能である。
分類の一例として〔I'm OK〕、〔Help〕、〔Urgent〕等に分類し緊急度情報としてAdvertising Packetに付加する。
また、Advertising Packet６の発信周期や電波強度の変更用にスイッチを搭載しても良い。
【００２７】
図４の例ではブルートゥース無線モジュール本体５ａにアンテナ５ａ−３を内蔵しているが、アンテナ５ａ−３を分離独立した形態にすることもできる。
ブルートゥース電子回路ＩＣ５ａ−２は、プログラム格納用のメモリを有し、ここに格納されたファームウェアプログラムに基づいて処理が実行され、パケットデータを生成する。
【００２８】
図５はブルートゥースビーコンの処理フローの一例である。水電池に給水すると、水電池が発電してブルートゥース無線モジュールがＰｏｗｅｒ  ＯＮし、初期化が開始される。この初期化では発信周期、電波強度、Advertising Packetに載せる状況識別の初期値の設定、その他必要な初期設定を実施する。
その後、ブルートゥースの制御モードをAdvertise モードとしAdvertising Packetの発信準備をする。
この準備では、スイッチが搭載されている場合は各スイッチの入力信号に応じて発信周期、電波強度、状況識別を設定する。
スイッチがないものは初期化時に設定した初期値をそのまま使用する。各設定が完了するとAdvertising Packetを送信する。
その後、次回発信周期までの規定時間が経過すると、各スイッチ入力に対応した設定変更とAdvertising Packetの送信を実行する。
この動作を繰り返し実行し、定期的なAdvertising Packetの発信を実現する。
【００２９】
図６はブルートゥースビーコンによる捜索実施の一例である。この例では４名の捜索隊による捜索としているが隊員の人数は必ずしも４名に限定するものではない。
【００３０】
図６の同心円の中心点０に瓦礫に囲まれた生存者がいてブルートゥースビーコンを使用していることを想定する。ブルートゥースの電波到達範囲は周囲状況によって変化するが、ここではクラス２の半径１０ｍと仮定する。
【００３１】
捜索隊は現在Ｘの地点で横一列に並んで矢印の方向にゆっくり前進する。Ｘの地点では隊員ＡからＤの全員がブルートゥースビーコンの電波到達範囲外にいるので、生存者の存在を認識できない。
捜索隊がＹの地点に到達すると、隊員Ｂ，Ｃは微弱な電波を検出することができるが、隊員Ａ，Ｄはまだ検出できない。
捜索隊がＺの地点に到達すると、隊員Ａ，Ｄも微弱な電波を検出する。また、隊員Ｂ，Ｃは隊員Ａ，Ｄよりも強い電波を検出しており、隊員Ａ，Ｄよりも生存者の近傍に位置していることがわかる。
このようにして、捜索範囲を狭めていくことで生存者の発見、救出を容易に実現することを可能にする。
【００３２】
以上の実施の形態において、ケース部４は硬質プラスチック樹脂により成形されているとして説明したが、これに特定されるものではなく、また、特許文献１に記載されているガスバリア性が高く防湿性の高いフィルムを使用し、圧空成形法あるいは真空成形法により製作された樹脂トレイのような軟弾性を有するケースにより直接内部の水収納容器を押圧する構成も選択できる。
【産業上の利用可能性】
【００３３】
災害時に夜間や外光の入らない空間での明かりの確保や救助隊へ存在を知らせるための災害用ＬＥＤライトやブルートゥースビーコンとして利用可能である。
【符号の説明】
【００３４】
１  ＬＥＤモジュール
１ａ  ＬＥＤモジュール本体
１ａ−１，１ａ−２，１ａ−３  ＬＥＤ
１ｂ  カバー
１ｃ  接続コネクタ
２  水電池
３  水収納容器
３ａ  給水紐
３ｂ  密封用シール
３ｃ  融着部
４  ケース部
４ａ  ケース本体
４ｂ  上板
４ｃ  接続コネクタ
４ｄ  接続針
４ｅ  底板
５  ブルートゥース無線モジュール
５ａ  ブルートゥース無線モジュール本体
５ａ−１  接続コネクタ
５ａ−２  ブルートゥース電子回路ＩＣ
５ａ−３  アンテナ
５ｂ  接続基板
５ｂ−１  接続コネクタ
５ｂ−２  接続コネクタ
５ｂ−３  モニタ用ＬＥＤ
５ｃ  カバー
６  Advertising Packet
７  携帯端末（スマートホン，タブレットＰＣ）
【図１Ａ】
2018032576.tif 000003
【図１Ｂ】
2018032576.tif 000004
【図１Ｃ】
2018032576.tif 000005
【図１Ｄ】
2018032576.tif 000006
【図２Ａ】
2018032576.tif 000007
【図２Ｂ】
2018032576.tif 000008
【図３】
2018032576.tif 000009
【図４】
2018032576.tif 000010
【図５】
2018032576.tif 000011
【図６】
2018032576.tif 000012